(57)【要約】【課題】２台の液晶表示装置の部品を共用化した「表示ユニット」を提供する。【解決手段】二つの液晶表示パネル１１の裏面に、輝度上昇シート１２、プリズムシート１３、拡散シート１４、二つの導光板１５、反射シート１６が、当該順序で積層される。各シートは、それぞれ一枚のシートであり、各シートは左右中央部で折り曲げられた状態で、各シートの左側半分が左側の液晶表示パネル１１の裏側に配置され、右側半分が右側の液晶表示パネル１１の裏側に配置されている。二つの導光板１５は、左右方向に間隔を空けた状態で配置され、二つの導光板１５の間には、各導光板１５の側面に向けて光を出射するＬＥＤアレイ１９が配置されている。【選択図】図２
2014044318.tif 000002
【特許請求の範囲】
【請求項１】
表示面が並べて配置された二つの液晶表示パネルを備えた表示ユニットであって、
前記各液晶表示パネルの各々に対応して各々設けられた、対応する前記液晶表示パネルの背面に配置された二つの導光板と、
前記二つの液晶表示パネルのうちの一方の液晶表示パネルの表示面と垂直な方向から見て、当該一方の液晶表示パネルの表示面を覆い、かつ、前記二つの液晶表示パネルのうちの他方の液晶表示パネルの表示面と垂直な方向から見て、当該他方の液晶表示パネルの表示面を覆うように、前記二つの導光板と前記二つの液晶表示パネルの間に挿入された１枚の拡散シートと、
前記二つの導光板のうちの一方の導光板の他方の導光板側の側面と、前記他方の導光板の前記一方の導光板側の側面との間に配置された、各導光板の側面に光を出射する光源装置とを有し、
前記各導光板は、側面から入射する光を対応する前記液晶表示パネルの表示面に向かう平面光に変換することを特徴とする表示ユニット。
【請求項２】
請求項１記載の表示ユニットであって、
前記一方の液晶表示パネルの表示面と垂直な方向から見て、当該一方の液晶表示パネルの表示面を覆い、かつ、前記他方の液晶表示パネルの表示面と垂直な方向から見て、当該他方の液晶表示パネルの表示面を覆うように、前記二つの導光板と前記二つの液晶表示パネルの間に挿入された、一枚のプリズムシートを有することを特徴とする表示ユニット。
【請求項３】
請求項１または２記載の表示ユニットであって、
前記一方の液晶表示パネルの表示面と垂直な方向から見て、当該一方の液晶表示パネルの表示面を覆い、かつ、前記他方の液晶表示パネルの表示面と垂直な方向から見て、当該他方の液晶表示パネルの表示面を覆うように、前記二つの導光板の背面に配置された一枚の反射シートを有することを特徴とする表示ユニット。
【請求項４】
請求項１記載の表示ユニットであって、
前記一方の液晶表示パネルの表示面は、前記他方の液晶表示パネルの表示面に対して傾いており、前記拡散シートは、前記二つの液晶表示パネルの表示面の双方に沿った形状となるように、前記一方の液晶表示パネルの表示面と垂直な方向から見て、当該一方の液晶表示パネルの表示面を覆う部分と、前記他方の液晶表示パネルの表示面と垂直な方向から見て、前記他方の液晶表示パネルの表示面を覆う部分との間で折り曲げられていることを特徴とする表示ユニット。
【請求項５】
請求項２記載の表示ユニットであって、
前記一方の液晶表示パネルの表示面は、前記他方の液晶表示パネルの表示面に対して傾いており、前記拡散シートと前記プリズムシートとは、前記二つの液晶表示パネルの表示面の双方に沿った形状となるように、前記一方の液晶表示パネルの表示面と垂直な方向から見て、当該一方の液晶表示パネルの表示面を覆う部分と、前記他方の液晶表示パネルの表示面と垂直な方向から見て、前記他方の液晶表示パネルの表示面を覆う部分との間で折り曲げられていることを特徴とする表示ユニット。
【請求項６】
請求項３記載の表示ユニットであって、
前記一方の液晶表示パネルの表示面は、前記他方の液晶表示パネルの表示面に対して傾いており、前記拡散シートと前記プリズムシートと前記反射シートとは、前記二つの液晶表示パネルの表示面の双方に沿った形状となるように、前記一方の液晶表示パネルの表示面と垂直な方向から見て、当該一方の液晶表示パネルの表示面を覆う部分と、前記他方の液晶表示パネルの表示面と垂直な方向から見て、前記他方の液晶表示パネルの表示面を覆う部分との間で折り曲げられていることを特徴とする表示ユニット。
【請求項７】
表示面が並べて配置された二つの液晶表示パネルを備えた表示ユニットであって、
前記各液晶表示パネルの各々に対応して各々設けられた二つの導光板と、
前記二つの導光板のうちの一方の導光板の他方の導光板側の側面と、前記他方の導光板の前記一方の導光板側の側面との間に配置された、各導光板の側面に光を出射する光源装置とを有し、
前記各導光板は、対応する前記液晶表示パネルの背面に配置され、側面から入射する光を対応する前記液晶表示パネルの表示面に向かう平面光に変換し、
前記光源装置は、一枚のフレキシブルプリント基板と、当該フレキシブルプリント基板上に搭載された前記一方の前記導光板の前記他方の導光板側の側面に光を出射する第１のＬＥＤアレイと、当該フレキシブルプリント基板上に搭載された、前記他方の導光板の前記一方の導光板側の側面に光を出射する第２のＬＥＤアレイとより構成されていることを特徴とする表示ユニット。
【請求項８】
請求項７記載の表示ユニットであって、
前記二つの液晶表示パネルのうちの一方の液晶表示パネルの表示面は、他方の液晶表示パネルの表示面に対して傾いており、前記第１のＬＥＤアレイが前記一方の導光板の前記他方の導光板側の側面に対向し、前記第２のＬＥＤアレイが前記他方の導光板の前記一方の導光板側の側面に対向する配置となるように、前記フレキシブルプリント基板は、前記第１のＬＥＤアレイが搭載された部分と、前記第２のＬＥＤアレイが搭載された部分との間で折り曲げられていることを特徴とする表示ユニット。
【請求項９】
請求項７または８記載の表示ユニットであって、
前記第１のＬＥＤアレイと第２のＬＥＤアレイを駆動するＬＥＤドライバを有し、
前記光源装置は、前記第１のＬＥＤアレイの複数のＬＥＤと前記第２のＬＥＤアレイの複数のＬＥＤとを直列に接続したＬＥＤ列を複数有し、
前記ＬＥＤドライバは、前記ＬＥＤ列毎に対応して設けられた、対応するＬＥＤ列に流れる電流を規制する電流規制回路を有することを特徴とする表示ユニット。
【請求項１０】
表示面が並べて配置された二つの液晶表示パネルを備えた表示ユニットであって、
前記各液晶表示パネルの各々に対応して各々設けられた二つの導光板と、
前記二つの導光板のうちの一方の導光板の他方の導光板側の側面と、前記他方の導光板の前記一方の導光板側の側面との間に配置された、各導光板の側面に光を出射する光源装置とを有し、
前記各導光板は、対応する前記液晶表示パネルの背面に配置され、側面から入射する光を対応する前記液晶表示パネルの表示面に向かう平面光に変換し、
前記光源装置は、一方の前記導光板の側面に向かう光と、他方の導光板の側面に向かう光との双方を出射するＬＥＤを配列したＬＥＤアレイであることを特徴とする表示ユニット。
【請求項１１】
請求項１０記載の表示ユニットであって、
前記ＬＥＤアレイの各ＬＥＤは、２方向に指向性を有し、各ＬＥＤは、一方の前記導光板の側面に向かう光と、他方の導光板の側面に向かう光との双方を出射することを特徴とする表示ユニット。
【請求項１２】
請求項１０記載の表示ユニットであって、
前記ＬＥＤアレイの各ＬＥＤが生成した光を、一方の前記導光板の側面に出射する光と、他方の導光板の側面に出射する光とに分岐する光学部材を有することを特徴とする表示ユニット。
【発明の詳細な説明】
【技術分野】
【０００１】
本発明は、液晶表示装置のバックライトの技術に関するものである。
【背景技術】
【０００２】
液晶表示装置のバックライトの技術としては、液晶表示パネルの裏側に重ねて配置した導光板の一辺に沿ってＬＥＤアレイを配置し、ＬＥＤアレイから出射された光を導光板で平面光に変換して、液晶表示パネルを裏側から照明するエッジライト方式のバックライトの技術が知られている（たとえば、特許文献１）。
【０００３】
また、液晶表示装置に関する技術としては、自動車に運転席用の液晶表示装置と、助手席用の液晶表示装置との２台の液晶表示装置を設けた表示システムが知られている（たとえば、特許文献２）。
【先行技術文献】
【特許文献】
【０００４】
【特許文献１】特開２００９-１１７２７２号公報
【特許文献２】特開２００７-０４５１６６号公報
【発明の概要】
【発明が解決しようとする課題】
【０００５】
自動車に運転席用の液晶表示装置と助手席用の液晶表示装置とを設ける場合のように、表示システムに２台の液晶表示装置を設ける場合、それぞれの液晶表示装置は独立しており、液晶表示装置の全ての構成部品は、２台の液晶表示装置で共用されることはなかった。また、バックライトの制御も、各液晶表示装置について、それぞれ行う必要があった。
【０００６】
そして、このことが、表示システムの部品コストや製造コストの増大や、バックライトの制御の複雑化を招く要因となっていた。
そこで、本発明は、２台の液晶表示装置の部品の共用化を図ることを課題とする。
【課題を解決するための手段】
【０００７】
前記課題達成のために、本発明は、表示面が並べて配置された二つの液晶表示(ＬＣＤ)パネルを備えた表示ユニットに、前記各液晶表示パネルの各々に対応して各々設けられた、対応する前記液晶表示パネルの背面に配置された二つの導光板と、前記二つの液晶表示パネルのうちの一方の液晶表示パネルの表示面と垂直な方向から見て、当該一方の液晶表示パネルの表示面を覆い、かつ、前記二つの液晶表示パネルのうちの他方の液晶表示パネルの表示面と垂直な方向から見て、当該他方の液晶表示パネルの表示面を覆うように、前記二つの導光板と前記二つの液晶表示パネルの間に挿入された１枚の拡散シートと、前記二つの導光板のうちの一方の導光板の他方の導光板側の側面と、前記他方の導光板の前記一方の導光板側の側面との間に配置された、各導光板の側面に光を出射する光源装置とを備えたものである。ここで、前記各導光板は、側面から入射する光を対応する前記液晶表示パネルの表示面に向かう平面光に変換するものである。
【０００８】
ここで、このような表示ユニットには、さらに、前記一方の液晶表示パネルの表示面と垂直な方向から見て、当該一方の液晶表示パネルの表示面を覆い、かつ、前記他方の液晶表示パネルの表示面と垂直な方向から見て、当該他方の液晶表示パネルの表示面を覆うように、前記二つの導光板と前記二つの液晶表示パネルの間に挿入された、一枚のプリズムシートを設けるようにしてもよい。
また、このような表示ユニットには、さらに、前記一方の液晶表示パネルの表示面と垂直な方向から見て、当該一方の液晶表示パネルの表示面を覆い、かつ、前記他方の液晶表示パネルの表示面と垂直な方向から見て、当該他方の液晶表示パネルの表示面を覆うように、前記二つの導光板の背面に配置された一枚の反射シートを設けるようにしてもよい。
【０００９】
これらのような表示ユニットによれば、一枚の拡散シートや一枚のプリズムシートや一枚の反射シートを、二つの液晶表示パネルのバックライト用に共用することができる。
ここで、以上の表示ユニットにおいて、前記二つの液晶表示パネルのうちの一方の液晶表示パネルの表示面を、他方の液晶表示パネルの表示面に対して傾けるようにすることもできる。すなわち、この場合には、前記拡散シートやプリズムシートや反射シートを、前記二つの液晶表示パネルの表示面の双方に沿った形状となるように、前記一方の液晶表示パネルの表示面と垂直な方向から見て、当該一方の液晶表示パネルの表示面を覆う部分と、前記他方の液晶表示パネルの表示面と垂直な方向から見て、前記他方の液晶表示パネルの表示面を覆う部分との間で折り曲げて配置すればよい。
【００１０】
また、前記課題達成のために本発明は、表示面が並べて配置された二つの液晶表示パネルを備えた表示ユニットに、前記各液晶表示パネルの各々に対応して各々設けられた二つの導光板と、前記二つの導光板のうちの一方の導光板の他方の導光板側の側面と、前記他方の導光板の前記一方の導光板側の側面との間に配置された、各導光板の側面に光を出射する光源装置とを設けたものである。ただし、前記各導光板は、対応する前記液晶表示パネルの背面に配置され、側面から入射する光を対応する前記液晶表示パネルの表示面に向かう平面光に変換するものであり、前記光源装置は、一枚のフレキシブルプリント基板と、当該フレキシブルプリント基板上に搭載された前記一方の前記導光板の前記他方の導光板側の側面に光を出射する第１のＬＥＤアレイと、当該フレキシブルプリント基板上に搭載された、前記他方の導光板の前記一方の導光板側の側面に光を出射する第２のＬＥＤアレイとより構成されているものである。
【００１１】
このような表示ユニットによれば、一枚のフレキシブルプリント基板を用いて構成した光源装置を、二つの液晶表示パネルのバックライト用に共用することができる。
ここで、このような表示ユニットにおいて、前記二つの液晶表示パネルのうちの一方の液晶表示パネルの表示面を、他方の液晶表示パネルの表示面に対して傾けて配置することもできる。すなわち、この場合には、前記第１のＬＥＤアレイが前記一方の導光板の前記他方の導光板側の側面に対向し、前記第２のＬＥＤアレイが前記他方の導光板の前記一方の導光板側の側面に対向する配置となるように、前記フレキシブルプリント基板を、前記第１のＬＥＤアレイが搭載された部分と、前記第２のＬＥＤアレイが搭載された部分との間で折り曲げて配置すればよい。
【００１２】
また、このような表示ユニットには、記第１のＬＥＤアレイと第２のＬＥＤアレイを駆動するＬＥＤドライバを設け、前記光源装置を、前記第１のＬＥＤアレイの複数のＬＥＤと前記第２のＬＥＤアレイの複数のＬＥＤとを直列に接続したＬＥＤ列を複数有するものとすると共に、前記ＬＥＤドライバに、前記ＬＥＤ列毎に対応して設けられた、対応するＬＥＤ列に流れる電流を規制する電流規制回路を設けるようにしてもよい。
【００１３】
このようにすることにより、一つのＬＥＤ列の不具合による輝度低下の影響を二つの液晶表示パネルのバックライトに分散させることができる。
また、前記課題達成のために本発明は、表示面が並べて配置された二つの液晶表示パネルを備えた表示ユニットに、前記各液晶表示パネルの各々に対応して各々設けられた二つの導光板と、前記二つの導光板のうちの一方の導光板の他方の導光板側の側面と、前記他方の導光板の前記一方の導光板側の側面との間に配置された、各導光板の側面に光を出射する光源装置とを設けたものである。ここで、前記各導光板は、対応する前記液晶表示パネルの背面に配置され、側面から入射する光を対応する前記液晶表示パネルの表示面に向かう平面光に変換するものであり、前記光源装置は、一方の前記導光板の側面に向かう光と、他方の導光板の側面に向かう光との双方を出射するＬＥＤを配列したＬＥＤアレイである。
【００１４】
ここで、このような表示ユニットは、より具体的には、前記ＬＥＤアレイの各ＬＥＤを、２方向に指向性を有し、各ＬＥＤは、一方の前記導光板の側面に向かう光と、他方の導光板の側面に向かう光との双方を出射するものとしてもよい。
または、表示ユニットを、前記ＬＥＤアレイの各ＬＥＤが生成した光を、一方の前記導光板の側面に出射する光と、他方の導光板の側面に出射する光とに分岐する光学部材を備えたものしてもよい。
これらのような表示ユニットによれば、ＬＥＤアレイの各ＬＥＤを二つの液晶表示パネルのバックライト用に共用することができる。また、各ＬＥＤを二つの液晶表示パネルのバックライトの光源として共用するので、ＬＥＤの特性のばらつきによって、二つの液晶表示パネルのバックライトの輝度に相違が生じることも抑止することができる。
【発明の効果】
【００１５】
以上のように、本発明によれば、２台の液晶表示装置の部品の共用化を図ることができる。
【図面の簡単な説明】
【００１６】
【図１】本発明の実施形態に係る表示ユニットの構成を示す図である。
【図２】本発明の実施形態に係る表示ユニットの構成を示す図である。
【図３】本発明の実施形態に係る表示システムの構成を示すブロック図である。
【図４】本発明の実施形態に係る表示ユニットの構成を示す図である。
【図５】本発明の実施形態に係る表示ユニットの構成を示す図である。
【発明を実施するための形態】
【００１７】
以下、本発明の実施形態について説明する。
図１ａに、本実施形態に係る表示ユニット１の外観を示す。
ここで、図１ａ２は表示ユニット１を正面から見たようすを、図１ａ１は表示ユニット１を上方より見たようすを表している。
図１ａ１に示すように、表示ユニット１は、フレーム１０と、フレーム１０に収容された二つの液晶表示(ＬＣＤ)パネル１１を備えている。また、二つの液晶表示パネル１１は、上下を揃えて、左右に僅かに間隔を空けて隣接させた配置で、フレーム１０に収容されている。また、図１ａ１中に矢印で示すように、左側の液晶表示パネル１１の表示面の向きは左斜め方向を、右側の液晶表示パネル１１の表示面の向きは右斜め方向を向く配置でフレーム１０に収容されている。
【００１８】
ここで、このような表示ユニット１は、たとえば、図１ｂに示すように、自動車にダッシュボード中央に配置され、表示ユニット１の左側の液晶表示パネル１１は、助手席のユーザに対する表示出力に用いられ、右側の液晶表示パネル１１は運転席のユーザに対する表示出力に用いられる。
【００１９】
次に、図２ａ、ｂに、表示ユニット１の内部構成を示す。
図２ａに模式的に示すように、表示ユニット１の内部には、二つの液晶表示パネル１１、一枚の輝度上昇シート１２、一枚のプリズムシート１３、一枚の拡散シート１４、二つの導光板１５、一枚の反射シート１６、表示ユニット１の正面から裏面に向かって積層されて配置されている。また、二つの液晶表示パネル１１や、二つの液晶表示パネル１１のバックライトを制御するための制御基板１７が、表示ユニット１に一体化されて設けられている。すなわち、制御基板１７は、たとえば、図１ａ１に示すように表示ユニット１の裏面に貼り付けた形態で表示ユニット１に一体化されて設けられる。
【００２０】
ここで、一枚の輝度上昇シート１２、一枚のプリズムシート１３、一枚の拡散シート１４は、それぞれ左右中央部で、左側半分が左側の液晶表示パネル１１の裏面に沿い、右側半分が右側の液晶表示パネル１１の裏面に沿う角度となるように折り曲げられた状態で、一枚の輝度上昇シート１２、一枚のプリズムシート１３、一枚の拡散シート１４の順番で、各々の左側半分が左側の液晶表示パネル１１の裏面に積層され、右側半分が右側の液晶表示パネル１１の裏面に積層されている。
【００２１】
また、二つの導光板１５は、左右方向に間隔を空けた状態で、一方が拡散シート１４の左側半分の裏面に、他方が拡散シート１４の右側半分の裏面に重ねて配置される。
そして、一枚の反射シート１６は、左右中央部で、左側半分が左側の液晶表示パネル１１の裏面に沿い、右側半分が右側の液晶表示パネル１１の裏面に沿う角度となるように折り曲げられた状態で、左側半分が左側の導光板１５の裏面に、右側半分が右側の導光板１５の裏面に重ねて配置されている
また、二つの導光板１５の間には、三角柱形状の、上下方向に長いＬＥＤ支持部材１８が配置されている。
【００２２】
そして、図２ｂに、水平な平面で切った、表示ユニット１の左右方向中方部の断面を示すように、ＬＥＤ支持部材１８の一つの側面は左側の導光板１５の右側の側面に正対しており、ＬＥＤ支持部材１８の他の一つの側面は右側の導光板１５の左側の側面に正対している。
そして、左側の導光板１５の右側の側面に正対しているＬＥＤ支持部材１８の側面を左側面とし、右側の導光板１５の左側の側面に正対しているＬＥＤ支持部材１８の側面を右側面として、ＬＥＤ支持部材１８の左側面と右側面には、それぞれＬＥＤアレイが配置されている。
【００２３】
ここで、図２ｃに示すように、各ＬＥＤアレイ１９は、導光板１５の上下方向長さ範囲に渡って複数のＬＥＤ１９１を所定間隔で上下方向に並べた列であるＬＥＤ列を、１列もしくは複数列有するデバイスである。
また、図２ｃに示すように、ＬＥＤ支持部材１８の左側面に配置されるＬＥＤアレイ１９と、右側面に配置されるＬＥＤアレイ１９は、一枚の平たいシート状のフレキシブルプリント基板（ＦＰＣ）２０上に搭載されている。
そして、図２ｄのように、各ＬＥＤアレイ１９を搭載したフレキシブルプリント基板２０を、ＬＥＤ支持部材１８の左側面に配置するＬＥＤアレイ１９が図２ｄにおける右側の部分に、ＬＥＤ支持部材１８の右側面に配置するＬＥＤアレイ１９が図２ｄにおける左側の部分に位置するように山折りで折り曲げた上で、フレキシブルプリント基板２０を裏返して、ＬＥＤ支持部材１８の左側面上にフレキシブルプリント基板２０の図２ｄにおける右側の部分が、ＬＥＤ支持部材１８の右側面上にフレキシブルプリント基板２０の図２ｄにおける左側の部分が位置するように、ＬＥＤ支持部材１８に固定することにより、ＬＥＤ支持部材１８の左側面と右側面に各ＬＥＤアレイ１９は配置される。ここで、ＬＥＤ支持部材１８は、ＬＥＤ支持部材１８を介してＬＥＤアレイ１９の放熱を行えるように熱伝導性の大きい素材を用いて形成する。
【００２４】
そして、図２ｂに示すように、ＬＥＤ支持部材１８の左側面に固定されたＬＥＤアレイ１９から出射された光は、左側の導光板１５の右側の側面から左側の導光板１５内に入射し、左側の導光板１５によって、左側の液晶表示パネル１１の表示面に向かう平面光に変換されて、拡散シート１４の左側半分の領域による拡散、プリズムシート１３の左側半分の領域による正面方向への集光、輝度上昇シート１２の左側半分の領域による輝度上昇などの作用を受けた上で、左側の液晶表示パネル１１を裏面から照明する。また、左側の導光板１５の裏側に漏れ出た光成分も、反射シート１６の左側半分の領域で反射され、左側の液晶表示パネル１１の照明光として戻される。
【００２５】
また、同様に、ＬＥＤ支持部材１８の右側面に固定されたＬＥＤアレイ１９から出射された光は、右側の導光板１５の左側の側面から右側の導光板１５内に入射し、右側の導光板１５によって、右側の液晶表示パネル１１の表示面に向かう平面光に変換されて、拡散シート１４の右側半分の領域による拡散、プリズムシート１３の右側半分の領域による正面方向への集光、輝度上昇シート１２の右側半分の領域による輝度上昇などの作用を受けた上で、右側の液晶表示パネル１１を裏面から照明する。また、右側の導光板１５の裏側に漏れ出た光成分も、反射シート１６の右側半分の領域で反射され、右側の液晶表示パネル１１の照明光として戻される。
【００２６】
次に、図３ａに、このような表示ユニット１の回路構成を示す。
図示するように、制御基板１７には、二つの液晶表示パネル１１の各々毎に対応して設けた二つのＬＣＤドライバ１７１が搭載されており、各ＬＣＤドライバ１７１は、対応する液晶表示パネル１１を駆動し、当該液晶表示パネル１１の表示を制御する。
また、制御基板１７には、二つのＬＥＤアレイ１９を点灯駆動し、二つの液晶表示パネル１１のバックライトの輝度を制御する一つのＬＥＤドライバ１７２が搭載されている。
ここで、図示するように、このような表示ユニット１は、たとえば、制御装置１０１や入力装置１０２やその他の周辺装置１０３を備えた情報システム１００の表示装置として用いられる。そして、このような情報システムにおいて、制御装置１０１は、二つのＬＣＤドライバ１７１を制御して、二つの液晶表示パネル１１各々への表示を行い、ＬＥＤドライバ１７２を制御して二つの液晶表示パネル１１のバックライトの輝度を制御する。
【００２７】
次に、図３ｂに、ＬＥＤアレイ１９と、ＬＥＤドライバ１７２の内部構成を示す。
図示するように、二つのＬＥＤアレイ１９の各ＬＥＤ１９１は、全体として、複数のＬＥＤ１９１を直列接続したＬＥＤ列を複数列構成するように接続されており、各ＬＥＤ列は、異なるＬＥＤアレイ１９のＬＥＤ１９１を同数含んでいる。
そして、各列の上流側端（アノード側端）にはＬＥＤドライバ１７２の電源供給回路１７２１から電源が供給される。また、ＬＥＤドライバ１７２は、ＬＥＤ列の各々に対応して設けた、トランジスタ１７２２と抵抗１７２３とを直列接続した電流規制回路１７２４を有し、ＬＥＤ列の下流側端（カソード側端）は各々、対応する電流規制回路１７２４を介してグランドに接続されている。
【００２８】
そして、ＬＥＤドライバ１７２の輝度調整回路１７２５は、制御装置１０１の制御に従って、各電流規制回路１７２４のトランジスタ１７２２の動作を制御して、各ＬＥＤ列に流れる電流または当該電流の時間平均値を調整することにより、各ＬＥＤアレイ１９の輝度を制御する。
ここで、このようなＬＥＤアレイ１９と、ＬＥＤドライバ１７２によれば、各ＬＥＤ列を異なるＬＥＤアレイ１９のＬＥＤ１９１を同数含むように構成しているので、たとえば、一つのＬＥＤ列に図中に×で示すように障害が発生しても、その影響による輝度の低下は、二つの液晶表示パネル１１のバックライトに等分され、一方のみの輝度が大きく低下してしまうことはない。
【００２９】
以上、本発明の実施形態について説明した。
以上のように、本実施形態によれば、輝度上昇シート１２、プリズムシート１３、拡散シート１４、反射シート１６、ＬＥＤドライバ１７２、ＬＥＤアレイ１９を搭載したフレキシブルプリント基板２０を、二つの液晶表示パネル１１で共用することができる。また、一つのフレキシブルプリント基板２０に搭載されるＬＥＤ１９１は、同じ製造ロッドで製造された特性が均一なＬＥＤ１９１のみとなることが期待できるので、このようにすることにより、二つの液晶表示パネル１１の、ＬＥＤ１９１の特性のばらつきに起因する輝度差の発生を抑制することができる。
【００３０】
ところで、以上の実施形態では、輝度上昇シート１２、プリズムシート１３、拡散シート１４、反射シート１６の各シートを折り曲げて使用することにより、各シートを、二つの液晶表示パネル１１のバックライトに共用したが、これらのシートは、図４ａに示すように、二つの液晶表示パネル１１の各々に対して１枚ずつ設けるようにしてもよい。
【００３１】
また、この場合には、図４ｂに、表示ユニット１の左右方向中方部の断面に示すように、ＬＥＤ支持部材１８の水平方向のサイズを大きくして、ＬＥＤアレイ１９の放熱を、より良好に行えるようにしてもよい。
なお、ＬＥＤ支持部材１８は、たとえば、アルミニウム合金やステンレスなどの放熱材１８１と、その上に貼り付けた放熱シート１８２とより構成することができる。また、ＬＥＤ支持部材１８の形状は、二つの液晶表示パネル１１間の角度や、フレーム１０の形状などに応じた任意の形状としてよい。
【００３２】
また、以上の実施形態では、二つの液晶表示パネル１１に、別々のＬＥＤアレイ１９を用いたが、これは二つの液晶表示パネル１１に同じＬＥＤアレイ１９を共用するようにしてもよい。
すなわち、図５ａに、表示ユニット１の左右方向中方部の断面に示すように、二つの導光板１５の間に、図５ｂに示すような複数のＬＥＤ１９１を一列に並べたＬＥＤアレイ１９を配置する。
また、各ＬＥＤ１９１として、図５ｃに示すように、二つの導光板１５の間の位置から、左の導光板１５の右側面方向と、右の導光板１５の左側面方向との二つの方向に強い指向を持つＬＥＤ１９１を用いるようにする。
このようにすることにより、一つのＬＥＤ１９１から、二つの導光板１５の双方に光を出射することができるようになり、結果、一つのＬＥＤアレイ１９を二つの液晶表示パネル１１で共用することができるようになる。
なお、このようにＬＥＤ１９１に二方向に強い指向を持たせる代わりに、ＬＥＤアレイ１９の各ＬＥＤ１９１から出射した光を二つに分岐し、分岐したふたつの光を、左の導光板１５の右側面と、右の導光板１５の左側面に導入する光学部材を設けることによって、一つのＬＥＤアレイ１９を二つの液晶表示パネル１１で共用するようにしてもよい。すなわち、たとえば、ＬＥＤアレイ１９をから出射した光を、ビームスプリッタやハーフミラーなどで二つに分岐し、分岐した二つの光の方向をミラーやプリズムなどを用いて、二つの導光板１５の側面へ各々向かう方向へ転換することにより、一つのＬＥＤアレイ１９を二つの液晶表示パネル１１で共用することができる。
これらのように、ＬＥＤアレイ１９１を、右側の導光板１５の左側の側面に向かう光と、左側の導光板１５の右側の側面に向かう光との双方を出射するＬＥＤを配列したものとすることにより、ＬＥＤアレイ１９１を二つの液晶表示パネル１１で共用することができる。また、同じＬＥＤアレイ１９１を二つの液晶表示パネル１１のバックライトの光源といて用いるので、ＬＥＤ１９１の特性のばらつきに起因する、二つの液晶表示パネル１１のバックライトの輝度差の発生を抑制することができる。
【００３３】
また、以上の実施形態では、図１ａ２に示すように、表示ユニット１の左側の液晶表示パネル１１の表示面の向きを左斜め方向、右側の液晶表示パネル１１の表示面の向きを右斜め方向とした場合について示したが、表示ユニット１は、図１ｃに示すように、左側の液晶表示パネル１１の表示面の向きを右斜め方向、右側の液晶表示パネル１１の表示面の向きを左斜め方向とするようにしてもよい。なお、図１ｃ２は表示ユニット１を正面から見たようすを、図１ｃ１は表示ユニット１を上方より見たようすを表しており、図１ｃ１の矢印は表示面の向きを表している。
【００３４】
また、以上の実施形態では、二つの液晶表示パネル１１を左右に配置した場合について説明したが、本実施形態のバックライトの構成は二つの液晶表示パネル１１を上下方向に配置する場合にも同様に適用することができる。
【符号の説明】
【００３５】
１…表示ユニット、１０…フレーム、１１…液晶表示パネル、１２…輝度上昇シート、１３…プリズムシート、１４…拡散シート、１５…導光板、１６…反射シート、１７…制御基板、１８…ＬＥＤ支持部材、１９…ＬＥＤアレイ、２０…フレキシブルプリント基板、１７１…ＬＣＤドライバ、１７２…ＬＥＤドライバ、１９１…ＬＥＤ。
【図１】
2014044318.tif 000003
【図２】
2014044318.tif 000004
【図３】
2014044318.tif 000005
【図４】
2014044318.tif 000006
【図５】
2014044318.tif 000007